(57)【要約】【課題】本発明は、電動送風機の排気が排気浄化集塵フィルターを経ずに空気が電気掃除機外に流出するのを防止しつつ、モータケースの部品点数が少なく、構造が簡略で組み立て性の良い電気掃除機を提供することを目的とする。【解決手段】本発明は、電動送風機を構成する送風部、および電動機と、前記電動送風機が収まるモータケースに設けられ、モータケースからの排気を浄化する排気浄化集塵フイルタを有する電気掃除機において、前記モータケースは着脱自在に合せられる前モータケース部と後モータケース部を有し、前モータケース部で前記送風部を被い、後モータケース部で電動機を被い、前モータケース部は合成樹脂の剛性層部と、弾力性のある弾性層部が重ね合わせた一体構造を有し、前記前モータケース部と前記後モータケース部が合わされる接合部は前モータケース部の弾性層部と後モータケース部を接合して気密が保たれることを特徴とする。【選択図】図７
2010068887.tif 000002
【特許請求の範囲】
【請求項１】
集塵室と電動送風機室を有する掃除機本体と、前記掃除機本体の電動送風機室内に置かれモータケースと、前記モータケース内に収納される電動送風機と、前記電動送風機を構成する送風部、および電動機と、前記モータケースに設けられ、モータケースからの排気を浄化する排気浄化集塵フイルタを有する電気掃除機において、
前記モータケースは、着脱自在に合せられる前モータケース部と後モータケース部を有し、前モータケース部で前記送風部を被い、後モータケース部で電動機を被い、
前モータケース部は、合成樹脂の剛性層部と、弾力性のある弾性層部が重ね合わせた一体構造を有し、
前記前モータケース部と前記後モータケース部が合わされる接合部は、前モータケース部の弾性層部と後モータケース部を接合して気密が保たれることを特徴とする電気掃除機。
【請求項２】
請求項１記載の電気掃除機において、
前記前モータケース部と前記後モータケース部を結合する結合手段を有することを特徴とする電気掃除機。
【請求項３】
請求項１または２記載の電気掃除機において、
前記電動送風機の送風部は円形の吸気口を有し、
前記前モータケースは、前記吸気口に連通するように接合する空気導入用の開口部を前記吸気口に対向するところに有し、
前記空気導入用の開口部は、前記吸気口に向かって窄むベルマウス形状をしていることを特徴とする電気掃除機。
【請求項４】
請求項１から３のいずれかに記載の電気掃除機において、
前記掃除機本体は、前記集塵室と前記電動送風機室を区画する中間区画壁と、この中間区画壁に形成され、前記集塵室と前記電動送風機室を連通する流通口を有し、
前記前モータケース部は、前記流通口を回りから囲い、かつ前記中間区画壁の電動送風機室側との気密を保つ環状の気密リップを有し、
前記弾性層部と同じ弾力性のある材料で弾性層部と一体に形成される前記気密リップは、外周側に延在するに従い前記前モータケース部の前面側との隙間が広がって行くＶ字状の溝が作られる形状を有することを特徴とする電気掃除機。
【請求項５】
請求項４記載の電気掃除機において、
前記流通口を回りから囲う円環状リブを前記中間区画壁の電動送風機室側面より電動送風機室内に向けて突き出すように設け、前記円環状リブの先端に前記気密リップが接合することを特徴とする電気掃除機。
【請求項６】
請求項１記載の電気掃除機において、
前記前モータケース部と前記後モータケース部が合わさる接合部にあっては、前記後モータケース部の内周面に対向する前記弾性層部の外周には後モータケース部の内周面に先端が接合する気密リブを設けたことを特徴とする電気掃除機。
【発明の詳細な説明】
【技術分野】
【０００１】
本発明は電動送風機からの排気を清浄化する排気浄化集塵フイルタを備えた電気掃除機に関し、詳しくは電動送風機を取り囲むモータケースの改良に関する。
【背景技術】
【０００２】
家庭用電気掃除機においては、電気掃除機本体の前部に集塵室が設けられ、集塵室の後部に設けられた電動送風機によって集塵室内が減圧されて、集塵室に接続されるホースを介して塵埃を吸引する。このとき、電動送風機は集塵室内の空気を吸引して電気掃除機外に排気するが、排気される空気は塵埃を含んでいる。そこで集塵室内の空気を電気掃除機外に排気するまでの排気流路に、排気浄化集塵フィルターを設け、電気掃除機から排気する空気中の塵埃を除去浄化する。
【０００３】
しかしながら、高い捕塵効率を得るためには電動送風機の排気をすべて排気浄化集塵フィルターに通すことが必要である。そのような技術背景の元、電動送風機の排気が排気浄化集塵フィルターを経ずに空気が電気掃除機外に流出するのを防止する技術に関する発明が特許文献１に開示されている。
【０００４】
特許文献１で開示される構成は前モータケース、後モータケース間の気密をとるため、前後のモータケースの間にシーリング部材を別部品として挟み込んでいる。また前モータケースと電動送風機との間には電動送風機の駆動時の振動を吸収する軟質材が設置されている。
【０００５】
【特許文献１】特開平１１−３２９４７号公報
【発明の開示】
【発明が解決しようとする課題】
【０００６】
しかしながら、特許文献１の構成では部品点数が多く、構造も複雑になり、組み立て性が悪いという問題点があった。
【０００７】
そこで本発明は、前記従来の問題に対処し、電動送風機の排気が排気浄化集塵フィルターを経ずに空気が電気掃除機外に流出するのを防止しつつ、モータケースの部品点数が少なく、構造が簡略で組み立て性の良い電気掃除機を提供することを目的とする。
【課題を解決するための手段】
【０００８】
本発明は、電動送風機を構成する送風部、および電動機と、前記電動送風機が収まるモータケースに設けられ、モータケースからの排気を浄化する排気浄化集塵フイルタを有する電気掃除機において、前記モータケースは着脱自在に合せられる前モータケース部と後モータケース部を有し、前モータケース部で前記送風部を被い、後モータケース部で電動機を被い、前モータケース部は合成樹脂の剛性層部と、弾力性のある弾性層部が重ね合わせた一体構造を有し、前記前モータケース部と前記後モータケース部が合わされる接合部は前モータケース部の弾性層部と後モータケース部を接合して気密が保たれることを特徴とする。
【発明の効果】
【０００９】
本発明によれば、電動送風機の排気が排気浄化集塵フィルターを経ずに空気が電気掃除機外に流出するのを防止しつつ、モータケースの部品点数が少なく、構造が簡略で組み立て性の良い電気掃除機を提供することができる。
【発明を実施するための最良の形態】
【００１０】
本発明の一実施形態例について、図面を引用して説明する。
【００１１】
まず、図１から図３を用いて電気掃除機１の概要から説明する。
【００１２】
図１は本発明の一実施形態に係る電気掃除機１の上本体ケース４と、集塵蓋８を取り外した状態の斜視図である。図２は前記電気掃除機１を示す外観斜視図である。図３は下本体ケース３と電動送風機９の周辺構造の後部からの斜視図である。
【００１３】
この一実施の形態における電気掃除機１は図１、図２に示すように掃除機本体２とホース１２と手元操作管１３と伸縮継手管１４と吸口１５を備え、掃除機本体２と手元操作管１３をホース１２で接続し、この手元操作管１３に伸縮継手管１４を介して吸口１５を接続して使用する。なお、ホース１２は接続部１２ａを掃除機本体２のホース接続口部１０に取り付けている。
【００１４】
掃除機本体２は電動送風機９と電源コード１９とを内蔵する。電動送風機９を駆動した際の吸気力により、吸口１５から含塵空気を吸い込み、吸い込んだ含塵空気を伸縮継手管１４と手元操作管１３とホース１２を介して掃除機本体２に吸い込ませ、集塵袋２０で塵埃を捕集する。集塵袋２０を通過した空気流は、電動送風機９に吸引されて昇圧される。集塵袋２０で捕集されなかった微細な塵は、排気浄化集塵フィルター３２でろ過捕集され、空気は機外に排気される。なお、電気掃除機１の運転モードの切り替えは手元操作管１３に設けたスイッチ１６により行う。
【００１５】
掃除機本体２は、図１に示すように上本体ケース４と下本体ケース３とを有し、集塵蓋８の間に配置した集塵室５内には集塵袋２０を着脱可能に装着している。集塵室５の後ろ側には後部室２７が配置されている。この後部室２７が電動送風機を収めたモータケースが置かれる電動送風機室になる。なお、集塵蓋８は、上本体ケース４の上側に転回可能に取り付けられている。集塵袋２０を着脱する際に集塵蓋８は、開閉される。
【００１６】
集塵室５内には集塵袋２０と電動送風機９の間に保護フィルター１７を設けるとともに、除塵ユニット７を配置している。この除塵ユニット７が動いて集塵袋２０を振動させることで、集塵袋２０内に捕集されて堆積した塵埃は除塵される。
【００１７】
下本体ケース３は、図３に示すように後部室２７（電動送風機室）と集塵室５側を区画する中間区画壁２８があり、中間区画壁２８は集塵袋２０を通過した空気流を電動送風機９へ連通させる格子状の流通口２９を有する。
【００１８】
この中間区画壁２８には格子状の流通口２９を回りから囲うように中間区画壁２８とは垂直に円環状リブ３０を設けている。この円環状リブ３０は、中間区画壁２８の電動送風機室側面より電動送風機室内に向けて垂直に突き出すように設けられている。
【００１９】
また、中間区画壁２８と下本体ケース３の下面がなす角部に設けられた電動送風機９を支持する支持リブ３３も設けている。この支持リブ３３は、下本体ケース３の下面から上方に向けて立ち上がるように形成されている。さらに、下本体ケース３は、掃除機本体２を床面に走行させるための走行車輪１１と案内車輪（図示せず）を備えている。
【００２０】
上本体ケース４の上部にはハンドル６が取り付けられており、掃除機本体２を持ち運ぶことができる。
【００２１】
ホース接続口部１０に差し込んだホース１２の接続部１２ａと、逆止弁２５と一体になった弾性体シール部材が気密状態に当接しており、この逆止弁２５が開くと集塵袋２０に設けた開口部２３を通じて、含塵空気流が集塵袋２０内に流入する。ここで逆止弁２５と一体となった弾性体シール部材は、集塵袋２０に設けた口板２２に気密状態に当接して、塵埃がこぼれない作用も有している。
【００２２】
次に、掃除機本体２内部の配置について説明する。
【００２３】
ホース接続口部１０は上方から見て掃除機本体２の幅方向の中央にあり、かつ、掃除機本体２の前面に配置している。集塵袋２０の流入部である開口部２３も同様に集塵室５の幅方向の中央にあり、かつ、集塵室５の前面に配置している。このように配置したことで、集塵室５の入口部分に曲りなどを設ける必要が無い為、通気損失を小さくできる効果が得られる。
【００２４】
次に集塵室５について説明する。
【００２５】
集塵室５は図１に示すように下本体ケース３と上本体ケース４と集塵蓋８で囲まれた空間で構成される。集塵袋２０は紙、布、プラスチック材等の不織布等で構成された袋部材２１と開口部２３を有した厚紙やプラスチック等で構成された口板２２を備える。なお、逆止弁２５は集塵袋２０に設けた開口部２３から集塵袋２０に溜まった塵埃がホース１２に設けた接続部側への逆流を防ぐように機能する。
【００２６】
次に図４から図１１を用いて説明する。
【００２７】
図４は本発明の請求項１の一実施の形態例を示す電動送風機９の周辺構造の斜視図である。図５は本発明の請求項１の一実施の形態例を示す電動送風機９の周辺構造の後部からの斜視図である。図６は本発明の一実施の形態例を示す集塵構造を説明するための図である。図７は本発明の一実施の形態例を示す図４のＡ−Ａ断面図である。図７での間隔の狭い斜線部は弾性体１１０を、間隔の広い斜線部は樹脂製枠体１０９を、網目上の斜線部はフィルター３４を示している。図８は本発明の請求項３の一実施の形態例を示す図７のＱ部の部分拡大図である。図９は本発明の一実施の形態例を示す図７のＰ部の部分拡大図である。図１０は本発明の一実施の形態例を示す図４のＸの方向からみた図である。ただし、図１０は便宜上、図４では図示されていない支持リブ３３を図示する。図１１は本発明の一実施の形態例を示す図９の気密リブ１１４の別形状を示した図である。
【００２８】
まず後部室２７（電動送風機室）について説明する。
【００２９】
後部室２７には電動送風機９と電動送風機９を取り囲み収納するモータケース１０１が備えられる。モータケース１０１の排気口１０２には排気浄化集塵フィルター３２が設けられる。電動送風機９に電力を供給する電源コード１９も後部室２７に設けられている。
【００３０】
電動送風機９は、ファン部１０３（送風部）とモータ部１０４（電動機）を有し、ファン部１０３が前側、モータ部１０４が後側になるように配置され、ファン部１０３（送風部）の前方には空気を吸引する吸気口１０５、モータ部１０４の周りには吸気口１０５から吸引された空気を排出するモータ排気口１１５が設けられている。
【００３１】
また、電動送風機９の後部には後部軟質体１０６の部品が取り付けられ、この後部軟質体１０６を介してモータケース１０１へ嵌まる構成になっている。なお、コードリール１８は、モータケース１０１の隣に並ぶように配置される。
【００３２】
次にモータケース１０１について説明する。
【００３３】
モータケース１０１はファン部１０３側を覆う前モータケース部１０７とモータ部１０４側を覆う後モータケース部１０８で構成される。前モータケース部１０７は剛性のある樹脂製枠体１０９と弾性体１１０が一体成形されており、ファン部１０３を覆うように略円筒状である。樹脂製枠体１０９の剛性層部と弾性体１１０の弾性層部は、重ね合わせた一体構造になっている。剛性層部は剛性のある合成樹脂の材料で形成され、弾性層部は弾性のある合成樹脂の材料で形成される。後モータケース部１０８は、前モータケース部１０７の剛性層部と同じ剛性のある合成樹脂の材料で形成される。
【００３４】
また弾性体１１０の弾性層部は、軟質合成樹脂（例えばエラストマーや塩ビ）が用いられる。また、モータケース１０１は、着脱自在なる後モータケース部１０８と前モータケース部１０７が合わせられて構成される。
【００３５】
また図８に示すように前モータケース部１０７には、ファン部１０３（送風部）の吸気口１０５に対向するところ開口部１１１が設けられる。開口部１１１は吸気口１０５の内径円周壁１２０に連続する部分を略円弧状にしたベルマウス形状にしている。すなわち、前モータケース１０７は、吸気口１０５に連通するように接合する空気導入用の開口部１１１を吸気口１０５に対向するところに有する。そして、空気導入用の開口部１１１は、吸気口１０５に向かって窄むベルマウス形状にした。
【００３６】
また図７に示すように弾性体１１０の弾性層部は樹脂製枠体１０９の剛性層部を間に挟むように電動送風機９側と円環状リブ３０側とに配置される。円環状リブ３０側には前モータケース１０７に設けた気密リップ１１６が接合する。
【００３７】
すなわち、前モータケース１０７に設けた気密リップ１１６は弾性層部と同じ弾力性のある材料で弾性層部と一体に形成され、円環状リブ３０の全周に接合するように環状に作られる。気密リップ１１６は弾性層部に繋がる付け根から外周側に延在するに従い前モータケース１０７の前面側との隙間が広がって行くＶ字形状の溝が作られる形状をしている。
【００３８】
このＶ字形状の溝は、気密リップ１１６の全周に亘って設けられる。気密リップ１１６は、円環状リブ３０に接合して前モータケース１０７に寄るようにいくぶん撓む。Ｖ字形状の溝が全周に亘って設けられているので、全体に亘る同様な撓みにより気密が良く行われる。
【００３９】
リップ１１６の外径は少なくとも１つ以上の円環状リブ３０の最外径より大きくなっている。また、円環状リブ３０を設けない場合には、気密リップ１１６は、中間区画壁２８の電動送風機室側面に接合する。環状の気密リップ１１６が中間区画壁２８に設けた流通口２９を回りから囲うように気密を保ち、円環状リブ３０有無にかかわらず、集塵室を通過する空気を漏れなく電動送風機に吸引することができる。
【００４０】
図９、１０に示すように気密リップ１１６と樹脂製枠体１０９の間には気密リップ１１６から略垂直に前モータケース１０１の内径から外径に亘って弾性体で形成された縦リブ１１７が全周に設けられている。縦リブ１１７は下本体ケース３側にはその他の方向より多く配置している。支持リブ３３を受ける部分も弾性体１１０で形成しており、下本体ケース側に多く配置した縦リブ１１７の一部が繋がっている。
【００４１】
本実施例では金型の抜き方向に平行に縦リブ１１７を形成したが放射状や縦や横に平行に配置しても良い。
【００４２】
さらに支持リブ３３を受ける部分には支持リブ３３と略垂直になるように少なくとも１本以上の受けリブ１１８を形成している。
【００４３】
また弾性体１１０は電動送風機９と後モータケース１０８の間で後モータケース１０８の内周に当接するような少なくとも１つ以上の気密リブ１１４が全周に亘って設けられている。気密リブ１１４の外径は後モータケース１０８の内径より大きく形成している。
【００４４】
また電動送風機９側ではファン部１０３の前面（吸気口１０５側）に当接するリング状リブ１１９が形成されている。リング状リブ１１９の高さは前モータケースを後モータケースに取り付けた際にファン部１０３に押しつぶされるような寸法としている。
【００４５】
樹脂製枠体１０９には前モータケース１０７と後モータケース１０８を固定する取り付け部としてねじボス１１２が略９０度ごとに設けられている（図４、５参照）。ねじボス１１２は少なくとも２箇所以上であり、またねじ止めに限ったものではなく、ベルトによる締め付けや爪を引っ掛ける方式等も含む。
【００４６】
このようなねじ止め、締め付け、引っ掛け等を含む結合手段により、前モータケース部と後モータケース部を着脱自在に結合することができる。
【００４７】
後モータケース１０８内にはモータ部１０４の周囲を取り囲むようにしてフィルター３４が設けられている。
【００４８】
図５に示すように、後モータケースの背面１０８ａの幅方向の両側には、後方に延びる一対の腕部３５，３５が一体に形成され、この腕部３５，３５が下本体ケース３にねじ止めによって固定されている。
【００４９】
また、図６に示すように、後モータケース１０８の上部には、四角形状の開口部１０８ｆが形成され、この開口部１０８ｆの全体を覆うように排気浄化集塵フィルター３２が設けられている。
【００５０】
また、図７に示すように、電気掃除機１は、電動送風機９のモータ排気口１１５と排気浄化集塵フィルター３２との間に形成された閉鎖空間Ｓに放電電極５０を備えている。
【００５１】
放電電極５０は、電動送風機９のモータ排気口１１５からの排気に含まれる塵埃を帯電させる機能を有し、ハケ状電極５１と、板状電極５２とが所定の間隔を空けて配置されて構成されている。また、放電電極５０は、後モータケース１０８に設けられた固定部１０８ｈを介して取り付けられている。この固定部１０８ｈは、合成樹脂などで板状に形成され、放電電極５０が開口部１０８ｆの中央寄りに位置するように構成されている。また、固定部１０８ｈには、放電電極５０に排気が直接に当たることがないように、遮蔽板１０８ｈ１が放電電極５０の下部に位置するように設けられている。
【００５２】
また、図６に示すように、放電電極５０は、リード線５１ａ，５２ａと接続され、リード線５１ａ，５２ａが、開口部１０８ｆの縁部に形成された切欠溝１０８ｆ２，１０８ｆ２を通って後モータケース１０８の外部に延びるように構成されている。
【００５３】
また、開口部１０８ｆの内周縁部に沿ってシール部材３６ａが設けられ、枠体３２ａの縁部３２ｂのリード線５１ａ，５２ａと重なる位置にシール部材３６ｂが設けられ、後モータケース１０８と枠体３２ａとの連結部での気密性が保たれて、電動送風機９からの排気が、後モータケース１０８と枠体３２ａとの隙間や、切欠溝１０８ｆ２，１０８ｆ２から漏れ出ないようになっている。更にシール部材３６ａには、ねじ挿入穴３２ａ１が設けられ、このねじ挿入穴３２ａ１に挿入したねじを後モータケース１０８に設けたねじ穴１０８ｆ１に螺合して排気浄化集塵フィルター３２を後モータケース１０８に固定する。
【００５４】
次にモータケース１０１へ流入した含塵空気の流れを説明する。
【００５５】
電気掃除機１の吸口１５から吸気された含塵空気は伸縮継手管１４、ホース１２を通り集塵袋２０へ入る。集塵袋２０を通過した後、中間区画壁２８に形成された格子状の流通口２９を通り、モータケース１０１内へ流入する。
【００５６】
前モータケース開口部１１１を通り、電動送風機９に吸気され、モータ排気口１１５から排出される空気は、その空気に含まれる塵埃の一部がフィルター３４によって除去される。さらにモータ排気口１１５と排気浄化集塵フィルター３２との間が後モータケース１０８によって閉鎖空間Ｓとなっているので、モータ排気口１１５から排出された排気はすべて排気浄化集塵フィルター３２を通過するので捕塵効率が高められ、塵埃がさらに除去される。
【００５７】
またこのとき、メイン基板７０ａによる制御によって、高電圧発生装置（図示せず）を介して放電電極５０が高電圧状態に設定されているので、排気に含まれる塵埃が帯電され、帯電した塵埃が、排気浄化集塵フィルター３２の中間層に設けられた、帯電性を有する不織布からなる層に吸着されることにより、捕塵効率がさらに高められる。
【００５８】
また排気浄化集塵フィルター３２に塵挨が堆積すると排気浄化集塵フィルター３２の圧損が高くなり、閉鎖空間Ｓ内の圧力が上昇する。そのため前モータケース１０７と後モータケース１０８とも膨らみ、合わせ部にすき間ができ、漏れ出てしまうので前モータケース１０７と後モータケース１０８の固定は強固でなければいけない。
【００５９】
前モータケース１０７と後モータケース１０８には互いを係り止めする取り付け部１１２（結合手段）が設けられることで漏れを防止できる。
【００６０】
前モータケースと後モータケースの両方にねじボス１１２を設けることにより、前モータケース１０７の弾性体１１０の弾性層部を樹脂製枠体１０９の剛性層部と後モータケース１０８の間に形成されることにより、弾性体１１０の弾性層部が樹脂製枠体１０９の剛性層部と後モータケース１０８に全周にわたって押しつぶされるので内圧による変形がしにくく、且つ断面略Ｕ字状のリップ形状にすることにより前モータケースと後モータケースが膨らんだ場合でも追従する。このため、着脱自在に合わされる前モータケース１０７と後モータケース１０８の接合部の気密が十分に確保される。
【００６１】
さらに弾性体１１０の弾性層部には、後モータケースの内周に当接するような気密リブ１１４が全周に亘って設けられる。この気密リブ１１４の外径は後モータケース１０８の内径より大きく形成しているので前モータケースと後モータケースが膨らんだ場合でも弾性体１１０と後モータケース１０７の内周とにすき間ができない。
【００６２】
これらの２重の気密による漏洩防止策により電動送風機９の排気が排気浄化集塵フィルター３２を経ずに空気が電気掃除機外に流出するのを防止することができる。図９では断面略Ｖ字形状であるが、弾性体１１０が全周に亘って押しつぶされればリップ形状でなくてもよい。
【００６３】
また気密リブ１１４とは別の形状として図１１に示す構造でもよい。
【００６４】
前モータケース１０７に一体成形された弾性体１１０の弾性層部は円筒状であり、弾性体１１０（円筒状の部位）のモータ部１０４側（先端部）の外周は後モータケース開口部１１３の内径より小さい径であり、弾性体１１０（円筒状の部位）のファン部１０３側の外周（根元部）は後モータケース開口部１１３の内径より大きい径となっている。つまり、弾性体１１０（円筒状の部位）は、ファン部１０３側の外周（根元部）が後モータケース開口部１１３の内径より径大で、モータ部１０４側（先端部）の外周が後モータケース開口部１１３の径小になるテーパ形状を有する。
【００６５】
このようなテーパ形状の構成にすることにより前モータケース１０７と後モータケース１０８をねじで取り付けると、前モータケース１０７と後モータケース１０８は互いに接近する方向に力がかかるので後モータケース１０８の内周縁が弾性体１１０に食い込むようになり、電動送風機９の排気が排気浄化集塵フィルター３２を経ずに空気が電気掃除機外に流出するのを防止することができる。
【００６６】
円環状リブ３０と前モータケース１０７との気密面は、前モータケース部の前面側との隙間が広がって行くＶ字状の溝を作る気密リップ１１６が全周に亘り形成されているため、吸引力により円環状リブ３０に前モータケースが押し付けられた場合に気密リップ１１６がたわみ、円環状リブ３０に追従するように接合する。このとき気密リップ１１６の外径は少なくとも１つ以上の円環状リブ３０の最外径より大きくなっていることで全周に亘って満遍なく無く追従して接合が全周に行き亘り、その結果気密が確保でき、高い吸込仕事率が維持できる。円環状リブ３０に追従する形であれば平面形状や弾性体内部に空気を入れた空気ばね等で形成しても良い。
【００６７】
また気密リップ１１６から略垂直に縦リブ１１７が設けられていることで強い吸引力により円環状リブ３０に前モータケースが押し付けられた場合に縦リブ１１７が弾性変形することにより、リップ１１７の変形量を規制し、適度な剛性を持たせることができ、電動送風機９の振動の伝達を低減できる。
【００６８】
縦リブ１１７が無かった場合には吸引力が強いため気密リップ１１６の剛性が足りず、変形量が臨界点に達した場合には気密リップ１１６が樹脂製枠体１０９に押し付けられ、樹脂製枠体１０９から電動送風機９の振動が直接的に伝わりやすくなり、掃除機本体２の振動、騒音が増加してしまう。
【００６９】
さらに下本体ケース３側に縦リブ１１７を多く配置し、さらに支持リブ３３を受ける部分に形成した弾性体１１０と縦リブ１１７の一部が一体となっていることによりモータケース１０１を下本体ケースに組み付ける際に気密リップ１１６のめくれ防止になり、めくれによる気密漏れがなくなり、高い吸込仕事率が維持できる。
【００７０】
また電動送風機９側にリング状リブ１１９が形成していることで電動送風機９と前モータケースの気密を確保できるので排気がファン部１０３と前モータケース１０７の間を通る循環流を防止できる。
【００７１】
また支持リブ３３を受ける部分に受けリブ１１８を形成することでモータケース１０１の自重により受けリブ１１８が一定量の変形をし、適度な剛性を持たせることができるので電動送風機９の振動の伝達を低減できる。
【００７２】
さらに図８に示すように前モータケース開口部１１１は吸気口１０５の内径円周壁１２０に連続する部分を略円弧状のベルマウス形状にすることにより、電動送風機９に流入する空気を整流するため、吸込仕事率が向上できる。ベルマウスを別部品として使用する必要がなくなる。
【００７３】
このような構成にすることにより前モータケース１０７と後モータケース１０８の間にシーリング部材を別部品として使用する必要が無く、また電動送風機９の駆動時の振動を吸収する軟質材も不必要となり、部品点数が少なくでき、組み立て性を向上することができる。
【００７４】
さらに掃除機本体２が一体成形品である前モータケース１０７に接触する面は全て弾性体１１０で形成することにより、直接、掃除機本体２に振動が伝達しにくく、結果振動・騒音を抑えることができる。同様に電動送風機９が一体成形品である前モータケース１０７に接触する面は全て弾性体１１０で形成することで弾性体が振動を吸収し、振動・騒音を抑えることができる。
【００７５】
本実施例では前モータケース１０７と弾性体１１０を一体成形したものとしたが後モータケース１０８と弾性体１１０を一体成形したものでもよい。
本発明を具体的な実施例に基づいて説明したが、本発明はこれに限定されるものではなく、当業者の通常の知識の範囲内でその変形や改良が可能であるのは勿論である。
【００７６】
以上述べた上記実施例によれば、一体成形した前モータケースにより、軟質合成樹脂からなる弾性体（例えばエラストマーや塩ビ）はシーリング部材や軟質材の役目を同時に果たし、樹脂製の枠体は電動送風機の吸気口に連通する開口部がベルマウス形状になっているため、吸気を整流でき、別部品としてベルマウスを使用する必要がない。また弾性体の枠材として働き、前モータケースを後モータケースへ挿入するときに嵌めやすくなる。以上のことにより部品点数を削減でき、且つ構造が簡略であるため組み立て性を向上することができる。
【００７７】
さらに前モータケースと後モータケースに係り止めする取り付け部を設けることによりモータケースの内圧が上がった時にも前モータケースと後モータケースに設けた取り付け部により弾性体を挟むように固定できるので弾性体が内圧による変形が少なく、電動送風機の排気が集塵フィルターを経ずに空気が電気掃除機外に流出するのを防止することができる。このような効果を得つつ、作業性も良く、工程数、部品点数を少なくしコストを抑えられる。
【図面の簡単な説明】
【００７８】
【図１】本発明の一実施の形態例を示す電気掃除機の上本体ケースと、蓋を取り外した状態の斜視図である。
【図２】本発明の一実施の形態例を示す電気掃除機の外観斜視図である。
【図３】本発明の一実施の形態例を示す下本体ケースと電動送風機の周辺構造の後部からの斜視図である。
【図４】本発明の請求項１の一実施の形態例を示す電動送風機の周辺構造の斜視図である。
【図５】本発明の請求項１の一実施の形態例を示す電動送風機の周辺構造の後部からの斜視図である。
【図６】本発明の一実施の形態例を示す集塵構造を説明するための図である。
【図７】本発明の一実施の形態例を示す図４のＡ−Ａ断面図である。
【図８】本発明の請求項３の一実施の形態例を示す図７のＱ部の部分拡大図である。
【図９】本発明の一実施の形態例を示す図７のＰ部の部分拡大図である。
【図１０】本発明の一実施の形態例を示す図４のＸの方向からみた図である。
【図１１】本発明の一実施の形態例を示す図９の気密リブ１１４の別形状を示した図である。
【符号の説明】
【００７９】
１…電気掃除機
２…掃除機本体
３…下本体ケース
４…上本体ケース
５…集塵室
６…ハンドル
７…除塵ユニット
８…集塵蓋
９…電動送風機
１０…ホース接続口部
１１…走行車輪
１２…ホース
１２ａ…接続部
１３…手元操作管
１４…伸縮継手管
１５…吸口
１６…スイッチ
１７…保護フィルター
１８…コードリール
１９…電源コード
２０…集塵袋
２１…袋部材
２２…口板
２３…開口部
２５…逆止弁
２７…後部室
２８…中間区画壁
２９…格子状流通口
３０…円環状リブ
３２…排気浄化集塵フィルター
３２ａ…枠体
３２ａ１…ねじ挿入穴
３２ｂ…縁部
３３…支持リブ
３４…フィルター
３５…腕部
３６ａ…シール部材（後モータケース側）
３６ｂ…シール部材（集塵フィルター側）
５０…放電電極
５１…ハリ状電極
５１ａ…リード線
５２…板状電極
５２ａ…リード線
７０…メイン基板
１０１…モータケース
１０２…排気口
１０３…ファン部
１０４…モータ部
１０５…吸気口
１０６…後部軟質体
１０７…前モータケース
１０８…後モータケース
１０８ａ…後モータケース背面
１０８ｆ…開口部
１０８ｆ１…ねじ穴
１０８ｆ２…切り欠き溝
１０８ｈ…固定部
１０８ｈ１…遮蔽板
１０９…樹脂製枠体（剛性層部）
１１０…弾性体（弾性層部）
１１１…前モータケース開口部
１１２…ねじボス
１１３…後モータケース開口部
１１４…気密リブ
１１５…モータ排気口
１１６…気密リップ
１１７…縦リブ
１１８…受けリブ
１１９…リング状リブ
１２０…内径円周壁
【図１】
2010068887.tif 000003
【図２】
2010068887.tif 000004
【図３】
2010068887.tif 000005
【図４】
2010068887.tif 000006
【図５】
2010068887.tif 000007
【図６】
2010068887.tif 000008
【図７】
2010068887.tif 000009
【図８】
2010068887.tif 000010
【図９】
2010068887.tif 000011
【図１０】
2010068887.tif 000012
【図１１】
2010068887.tif 000013